(57)【要約】      （修正有）【課題】不特定多数の人間が利用する所でも、常に衛生的にドアを開閉することが出来るドアハンドルカバー装置を提供する。【解決手段】ドアハンドル５をシート１４で覆い、シート１４を搬送するシート搬送手段と、モータによりシート搬送手段を駆動する駆動手段と、人の手を検出するセンンサーと、駆動手段の動作を制御する制御装置を備える。ドアハンドル５を使用後に手が離れると、センサーがそれを検知し、制御装置がモータを一定時間回転させることにより、シート１４を一定の長さだけ搬送する。シート１４はドアを開閉する都度、汚れた部分が支持軸９に巻き取られ、常に清潔な部分がドアハンドル５を覆う。【選択図】図４
2010261158.tif 000002
【特許請求の範囲】
【請求項１】
ドアハンドルを覆って掛けられたシートと、前記シートを搬送するシート搬送手段と、モータの動力により前記搬送手段を駆動する駆動手段と、人の手を検出するセンサーと、前記センサーが人の手を検知することで前述の駆動手段の動作を制御する制御手段を備えたドアハンドルカバー装置。
【請求項２】
ドア板に取り付けられドアハンドルを設置した基盤を備え、上記シートと搬送手段、駆動手段、センサー、並びに制御手段が共通の筺体に収納され、前記筺体が前記基盤に着脱可能に取り付けられていることを特徴とする請求項１記載のドアハンドルカバー装置。
【発明の詳細な説明】
【技術分野】
【０００１】
この発明は、ドアハンドルを常に清潔に維持できるドアハンドルカバー装置に関する。
【背景技術】
【０００２】
従来のドアとしては、ドア板にネジ等の止め具によってドアハンドルを直接取り付けられた物が広く知られている。
【発明の開示】
【発明が解決しようとする課題】
【０００３】
しかしながら、以上の技術によれば、ドアを開閉する人は他人が直接手で触れたドアハンドルに触れなければならず、例えば不特定多数の人が利用する公共施設等においては、衛生面で問題があり不潔であった。
【０００４】
そこでこの発明は、このような状況を鑑み、常に衛生的にドアを開閉することが出来るドアハンドルカバー装置を提供することを課題とする。
【課題を解決するための手段】
【０００５】
以上の課題を解決するために、第一発明は、ドアハンドルを覆って掛けられたシートと、前記シートを搬送するシート搬送手段と、モータの動力により前記搬送手段を駆動する駆動手段と、人の手を検出するセンサーと、前記センサーが人の手を検知することで前記の駆動手段の動作を制御する制御手段を備えたドアハンドルカバー装置である。
【０００６】
また、第二発明は、ドア板に取り付けられた基盤に、前記シートと搬送手段、駆動手段、センサー、並びに制御手段が収納された共通の筺体が着脱可能に取り付けられていることを特徴とするドアハンドルカバー装置である。
【発明の効果】
【０００７】
第一発明によれば、ドアハンドルを常にシートの清潔な部分が覆っているので、手が直接ハンドルに触れず、衛生的にドアを開閉することが出来る。
【０００８】
また第二発明によれば、既存のドアにドアハンドルカバー装置を取り付けることが出来る。
【発明を実施するための最良の形態】
【０００９】
この発明の一実施形態を、図１〜図４に示す。
図１において１はドア板であり、２は基盤であり、基盤２はネジ３によりドア板１に取り付けられる。
【００１０】
４は基盤２に取り付けられたツメであり、５はドアハンドルである。
【００１１】
図２は、ドアハンドルカバー装置を示すものである。
６はドアハンドルカバー装置の筺体であって、本装置の構成要素を収納する。
７はドアハンドルカバー装置の蓋であり、８はドアハンドルカバー装置の蓋７に設けられたシート確認窓である。
【００１２】
９（１）及び９（２）は支持軸であり、後述のギア１１に固定されているため、ギアと共に回転する。
【００１３】
１０は側面蓋であり、１１（１）及び１１（２）は、支持軸９（１）及び９（２）に固定されたギアであって、筺体６の底面に回転自在に取り付けられており、モータ（図示せず）の動力を支持軸９（１）及び９（２）に伝達する。
１２は、コントローラーボックスであり、センサー（図示せず）とモータ（図示せず）並びに電池（図示せず）、制御装置（図示せず）で構成されている。
【００１４】
人の手がドアハンドル５に接近し、使用後に手が離れると、センサー（図示せず）がそれを検知し、制御装置（図示せず）がモータ（図示せず）を一定時間回転させその後止める。
【００１５】
また、コントローラーボックス１２は側面蓋１０と取換える事ができ、本装置を左右どちらから開くドアにも取り付ける事が出来るのである。
【００１６】
図３は、ドアハンドルカバー装置の背面図である。
１３は背面穴であり、ツメ４を差し込み基盤２とドアハンドルカバー装置の筺体６を固定する。
【００１７】
図４はドアハンドルカバー装置を取り付け、シートをセットした状態を示すものである。
１４はシートであり、使用前の巻き取られた側の端を支持軸９（１）に固定し、ドアハンドル５を覆わせて巻き取られていないもう一方の端は、支持軸９（２）に固定する。
１５はドアハンドルカバー装置の筺体６に設けられた、いたずら防止用のカギである。
【００１８】
以下に本装置の動作説明をする。
人の手がドアハンドル５に接近し、使用後にドアハンドル５から手が離れると、コントローラーボックス１２のセンサー（図示せず）がそれを検知し、制御装置（図示せず）がモータ（図示せず）を一定時間回転させその後止める。
【００１９】
モータ（図示せず）の回転は、ギア１１（２）を経由して支持軸９（２）に伝達し、シート１４を一定の長さだけ搬送する。
これにより、一度触れたシート１４は、使用時にドアハンドル５を覆っていた所が支持軸９（２）に巻き取られ、常に清潔な部分がドアハンドル５を覆うのである。
【００２０】
また、最後まで巻き取られたシート１４は、蓋７を開け新しいものと交換することが出来る。
この交換時期を知るために、シート確認窓８が設けられている。
【００２１】
「実施形態の効果」
この実施形態によれば、シート搬送制御装置の働きで、ドアハンドル５を使用する際、常にシート１４の清潔な部分に触るので、手が汚れず衛生的である。
【００２２】
「他の実施形態」
図４の実施形態では、ドアハンドル５が基盤２に設置されているが、既存のドアに本装置を取り付ける場合で、既存のドアハンドルをそのまま使用する際は、ドアハンドル５を設置せずに使用する事も出来る。
【図面の簡単な説明】
【００２３】
【図１】ドア板にドアハンドルカバー装置を取り付ける為の基盤の図。
【図２】ドアハンドルカバー装置の斜視図。
【図３】ドアハンドルカバー装置の背面図。
【図４】この発明の一実施形態を示す斜視図。
【符号の説明】
【００２４】
１  ドア板      ２  基盤      ３  ネジ      ４  ツメ
５  ドアハンドル      ６  ドアハンドルカバー装置の筺体
７  ドアハンドルカバー装置の蓋      ８  シート確認窓
【００２５】
９（１）及び９（２）  支持軸      １０  側面蓋      
１１（１）及び１１（２）  ギア  
１２    コントローラーボックス      １３  背面穴
１４  シート      １５  いたずら防止用カギ
【図１】
2010261158.tif 000003
【図２】
2010261158.tif 000004
【図３】
2010261158.tif 000005
【図４】
2010261158.tif 000006